(57)【要約】【課題】  観賞用植木鉢をぐらつき無く強固に且つ水平に飾り付ける。【解決手段】  格子状に架設された剛性を有する縦横の鋼線１３に脱着自在に取り付けるための観賞用植木鉢２０であって、横方向の鋼線１３に脱着自在に嵌合するための横向き嵌合部２２を鉢２１の背面の左右それぞれに設け、縦方向の鋼線１３に脱着自在に嵌合するための縦向き嵌合部２３を鉢２１の背面の左右中間部に設ける。これにより、観賞用植木鉢２０は縦横の鋼線１３に同時に嵌合するから、ぐらついたり傾いたりすることなく強固に且つ水平に保持され、観賞用植木鉢２０に人や物が触れたりしても容易に傾いたり脱落したりすることがない。【選択図】図２
0003146793.tif 000002
【実用新案登録請求の範囲】
【請求項１】
格子状に架設された剛性を有する縦横の鋼線に脱着自在に取り付けるための観賞用植木鉢であって、横方向の鋼線に脱着自在に嵌合するための横向き嵌合部を鉢の背面の左右それぞれに設け、縦方向の鋼線に脱着自在に嵌合するための縦向き嵌合部を鉢の背面の左右中間部に設けたことを特徴とする、観賞用植木鉢。
【請求項２】
枠状のフレームに剛性を有する縦横の鋼線を格子状に架設し、同鋼線同士の交点を固着し、請求項１記載の観賞用植木鉢の横向き嵌合部を横方向の鋼線に脱着自在に嵌合し、前記観賞用植木鉢の縦向き嵌合部を縦方向の鋼線に脱着自在に嵌合した、植物飾付け装置。
【請求項３】
フレームを土台で垂直に支持し、土台の下部にキャスターを設けた、請求項２記載の植物飾付け装置。
【請求項４】
土台を側方に張り出させて観賞用植木鉢の置き場を形成した、請求項３記載の植物飾付け装置。
【請求項５】
フレームに不透明のシート状物を鋼線間の開口が閉塞されるように張設した、請求項２〜４いずれか記載の植物飾付け装置。
【請求項６】
請求項２〜５いずれか記載の植物飾付け装置が、室内の壁面の装飾に用いられるものである、植物飾付け装置。
【請求項７】
請求項２〜５いずれか記載の植物飾付け装置が、部屋を間仕切るパーティションとして用いられるものである、植物飾付け装置。
【考案の詳細な説明】
【技術分野】
【０００１】
本考案は、観葉植物を植え込むための観賞用植木鉢に関し、詳しくは小型の観賞用植木鉢を垂直面に対して任意の高さ位置に飾り付けできるようにする技術に関する。
【背景技術】
【０００２】
従来、小型の観葉植物を垂直面に対して任意の高さ位置に飾り付ける場合は、例えば特許文献１に示されるようなラティスと呼ばれる格子状のパネルに、非特許文献１に示されるようなフックやハンガーを用いてプランターやポット等の観賞用植木鉢を任意の位置に掛け、これを庭や室内に金具等で立て付けている。ラティスは、帯板又は鋼線を４５度の角度又は縦横に交差させて枠組みした構造が一般的である。
【０００３】
ところで、前記のような方法では、観賞用植木鉢は帯板又は鋼線に自重で掛けているだけであるから、観葉植物の植え込み状態によっては観賞用植木鉢が傾いて水平に保持できず、見栄えが悪くなることがあった。また、観賞用植木鉢に人や物が接触したりすると観賞用植木鉢がぐらついたり傾いたりし、場合によってはフックやハンガーが外れて観賞用植木鉢が脱落することがあった。
【特許文献１】実用新案登録第３０６５２２３号公報
【非特許文献１】”ニッサチェイン  ガーデニングタイム／ハンギングツール（ラティス用壁面プランターフック・ポットハンガー・バスケットハンガー・アームハンガー）”、［online］、株式会社ニッサチェイン、［平成２０年７月１５日検索］、インターネット＜URL:http://www.nissa.co.jp/gardening/gt05.html＞
【考案の開示】
【考案が解決しようとする課題】
【０００４】
本考案が解決しようとする課題は、従来のこれらの問題点を解消し、観賞用植木鉢をぐらつき無く強固に且つ水平に飾り付けできる観賞用植木鉢を提供することにある。
【課題を解決するための手段】
【０００５】
かかる課題を解決した本考案の構成は、
１）  格子状に架設された剛性を有する縦横の鋼線に脱着自在に取り付けるための観賞用植木鉢であって、横方向の鋼線に脱着自在に嵌合するための横向き嵌合部を鉢の背面の左右それぞれに設け、縦方向の鋼線に脱着自在に嵌合するための縦向き嵌合部を鉢の背面の左右中間部に設けたことを特徴とする、観賞用植木鉢
２）  枠状のフレームに剛性を有する縦横の鋼線を格子状に架設し、同鋼線同士の交点を固着し、前記１）記載の観賞用植木鉢の横向き嵌合部を横方向の鋼線に脱着自在に嵌合し、前記観賞用植木鉢の縦向き嵌合部を縦方向の鋼線に脱着自在に嵌合した、植物飾付け装置
３）  フレームを土台で垂直に支持し、土台の下部にキャスターを設けた、前記２）記載の植物飾付け装置
４）  土台を側方に張り出させて観賞用植木鉢の置き場を形成した、前記３）記載の植物飾付け装置
５）  フレームに不透明のシート状物を鋼線間の開口が閉塞されるように張設した、前記２）〜４）いずれか記載の植物飾付け装置
６）  前記２）〜５）いずれか記載の植物飾付け装置が、室内の壁面の装飾に用いられるものである、植物飾付け装置
７）  前記２）〜５）いずれか記載の植物飾付け装置が、部屋を間仕切るパーティションとして用いられるものである、植物飾付け装置
にある。
【考案の効果】
【０００６】
本考案によれば、観賞用植木鉢は縦横の鋼線に同時に嵌合するから、ぐらついたり傾いたりすることなく強固に且つ水平に保持されて見栄えが良く、観賞用植木鉢に人や物が触れたりしても容易に傾いたり脱落したりすることがない。また、脱着に際してフック等の金具類も必要としない。
【考案を実施するための最良の形態】
【０００７】
本考案の観賞用植木鉢の材質としては、プラスチック製やセラミック製のものが使用でき、軽量なプラスチック製が望ましい。背面の横向き嵌合部と縦向き嵌合部は鉢に一体的又は別体として設けられるが、プラスチック製の場合は一体的に成形される。横向き嵌合部は左右それぞれを１組として設けられ、鉢の寸法や重量に応じて複数組設けられる。縦向き嵌合部は鉢の高さに応じて１個又は複数個設けられる。
【０００８】
植物飾付け装置のフレームは金属製や木製のものが使用でき、長方形状やアーチ状など様々な形状に形成される。フレームをキャスター付きの土台に設置すると、植物飾付け装置を任意の場所に移動し易くなる。土台を側方に張り出させると観賞用植木鉢の置き場となり、他の観賞用植木鉢を床に置くことなく飾り付けることができ、配置替えの際も同時に移動できる。フレームに不透明のシート状物を鋼線間の開口が閉塞されるように張設すると、植物飾付け装置をパーティションとして利用でき、シート状物に透光性を有するものを用いると、区画した空間が暗くなることがない。
【０００９】
以下、本考案の各実施例を図面に基づいて具体的に説明する。
【実施例１】
【００１０】
図１，２に示す実施例１は、植物飾付け装置を室内の柱の側面に沿って設置した例である。図１は実施例１の植物飾付け装置の正面図、図２は実施例１の観賞用植木鉢の背面図である。図中、１０は植物飾付け装置、１１はフレーム、１２は押付部材、１３は鋼線、２０は観賞用植木鉢、２１は鉢、２２は横向き嵌合部、２３は縦向き嵌合部、Ｆは床、Ｐは観葉植物、Ｔは天井、Ｗは柱である。
【００１１】
実施例１の植物飾付け装置１０は、図１に示すように金属パイプからなる２本のフレーム１１間に、外径３ｍｍほどの剛性を有する複数本の鋼線１３を縦横に１０ｃｍ間隔で交差させて格子状に架設し、鋼線１３同士の交点を溶着している。フレーム１１の下端には回転により伸縮する押付部材１２を備え、柱Ｗの側面に垂直に立てて押付部材１２で床Ｆを圧接している。
【００１２】
観賞用植木鉢２０は、図２に示すように全体がプラスチック製で、鉢２１の背面に横向き嵌合部２２を左右それぞれに一体的に形成し、縦向き嵌合部２３を左右中間下部に一体的に形成している。横向き嵌合部２２と縦向き嵌合部２３の内径は、鋼線１３の外径と同じ径に形成し、横向き嵌合部２２と縦向き嵌合部２３の開口部の幅は鋼線１３の外径よりやや狭幅に形成し、開口部が弾性変形して鋼線１３に嵌合できるようになっている。
【００１３】
実施例１では、観賞用植木鉢２０に用土を充填して観葉植物Ｐを植え込み、左右の横向き嵌合部２２と縦向き嵌合部２３を植物飾付け装置１０の縦横の鋼線１３にそれぞれ嵌合して飾り付ける。このように、観賞用植木鉢２０は縦横の鋼線１３に同時に嵌合しているから、ぐらついたり傾いたりすることなく強固に且つ水平に保持されて見栄えが良く、観賞用植木鉢２０に人や物が触れたりしても容易に傾いたり脱落することがない。
【００１４】
図３に示すのは、実施例１の観賞用植木鉢の他の例である。図３は実施例１の他の例の観賞用植木鉢の背面図である。図３に示す実施例１の他の例では、観賞用植木鉢２０が縦長であり、２個の縦向き嵌合部２３を上下それぞれに一体的に形成している。したがって、実施例１と比較してより強固に保持でき、特に鉢２１にセラミックなど重量を有する材質のものを使用した場合は効果が高い。その他、符号、構成、作用効果は実施例１と同じである。
【実施例２】
【００１５】
図４，５に示す実施例２は、フレームをキャスター付きの土台で垂直に支持するとともに、鋼線間の開口に不透明で且つ透光性を有するシートを張設した植物飾付け装置の例である。図４は実施例２の植物飾付け装置の正面図、図５は実施例２の植物飾付け装置の側面図である。図中、１４は土台、１５は置き場、１６はキャスター、１７はシート、１８はブロックである。
【００１６】
実施例２の植物飾付け装置１０は、図４，５に示すように木製の角材で長方形状に枠組みしたフレーム１１の内側に、複数本の鋼線１３を縦横に交差させて格子状に架設している。フレーム１１の片面には、不透明で且つ透光性を有する薄いプラスチックからなるシート１７を鋼線１３間の開口が閉塞されるように張設している。フレーム１１はその下端を土台１４に取り付け、土台１４を側方に張り出させて観賞用植木鉢２０の置き場１５を形成し、土台１４の下部四隅にはキャスター１６を取り付けている。観賞用植木鉢２０の構成は実施例１と同じである。
【００１７】
実施例２では、実施例１と同じように観賞用植木鉢２０の左右の横向き嵌合部２２と縦向き嵌合部２３を植物飾付け装置１０の縦横の鋼線１３にそれぞれ嵌合して飾り付け、置き場１５にはブロック１８を介して観賞用植木鉢２０を並べ、任意の場所に移動して設置する。パーティションとして使用する場合は、シート１７が透光性を有しているから、区画した空間が暗くなることがない。住宅のベランダに設置した場合は、太陽光がシート１７を透過して観葉植物Ｐに適度に当たり、生育が良好になるとともに、室内をシート１７で遮光できる。その他、符号、構成、作用効果は実施例１と同じである。
【産業上の利用可能性】
【００１８】
本考案の技術は、店舗・住宅・オフィス・医療施設・その他公共施設に利用できる。店舗では、店内に飾り付けたり、園芸コーナーであれば商品の陳列用に利用できる。住宅では、室内の壁に立て掛けたり、ベランダの緑化又は遮光用として設置される。オフィス・医療施設・その他公共施設ではパーティション等として利用される。
【図面の簡単な説明】
【００１９】
【図１】実施例１の植物飾付け装置の正面図である。
【図２】実施例１の観賞用植木鉢の背面図である。
【図３】実施例１の他の例の観賞用植木鉢の背面図である。
【図４】実施例２の植物飾付け装置の正面図である。
【図５】実施例２の植物飾付け装置の側面図である。
【符号の説明】
【００２０】
１０  植物飾付け装置
１１  フレーム
１２  押付部材
１３  鋼線
１４  土台
１５  置き場
１６  キャスター
１７  シート
１８  ブロック
２０  観賞用植木鉢
２１  鉢
２２  横向き嵌合部
２３  縦向き嵌合部
Ｐ  観葉植物
Ｗ  柱
【図１】
0003146793.tif 000003
【図２】
0003146793.tif 000004
【図３】
0003146793.tif 000005
【図４】
0003146793.tif 000006
【図５】
0003146793.tif 000007
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
格子状に架設された剛性を有する縦横の鋼線に脱着自在に取り付けるための観賞用植木鉢であって、横方向の鋼線に脱着自在に嵌合するための横向き嵌合部を鉢の背面の左右それぞれに設け、縦方向の鋼線に脱着自在に嵌合するための縦向き嵌合部を鉢の背面の左右中間部に設けたことを特徴とする、観賞用植木鉢。
【請求項２】
請求項１記載の観賞用植木鉢を取り付けた植物飾付け装置であって、枠状のフレームに剛性を有する縦横の鋼線を格子状に架設し、同鋼線同士の交点を固着し、観賞用植木鉢の横向き嵌合部を横方向の鋼線に脱着自在に嵌合し、前記観賞用植木鉢の縦向き嵌合部を縦方向の鋼線に脱着自在に嵌合して観賞用植木鉢を取り付けた、植物飾付け装置。
【請求項３】
フレームを土台で垂直に支持し、土台の下部にキャスターを設けた、請求項２記載の植物飾付け装置。
【請求項４】
土台を側方に張り出させて観賞用植木鉢の置き場を形成した、請求項３記載の植物飾付け装置。
【請求項５】
フレームに不透明のシート状物を鋼線間の開口が閉塞されるように張設した、請求項２〜４いずれか記載の植物飾付け装置。
【請求項６】
請求項２〜５いずれか記載の植物飾付け装置が、室内の壁面の装飾に用いられるものである、植物飾付け装置。
【請求項７】
請求項２〜５いずれか記載の植物飾付け装置が、部屋を間仕切るパーティションとして用いられるものである、植物飾付け装置。
【手続補正書】
【提出日】平成20年9月26日(2008.9.26)
【手続補正１】
【補正対象書類名】明細書
【補正対象項目名】０００５
【補正方法】変更
【補正の内容】
【０００５】
１）  格子状に架設された剛性を有する縦横の鋼線に脱着自在に取り付けるための観賞用植木鉢であって、横方向の鋼線に脱着自在に嵌合するための横向き嵌合部を鉢の背面の左右それぞれに設け、縦方向の鋼線に脱着自在に嵌合するための縦向き嵌合部を鉢の背面の左右中間部に設けたことを特徴とする、観賞用植木鉢
２）  前記１）記載の観賞用植木鉢を取り付けた植物飾付け装置であって、枠状のフレームに剛性を有する縦横の鋼線を格子状に架設し、同鋼線同士の交点を固着し、観賞用植木鉢の横向き嵌合部を横方向の鋼線に脱着自在に嵌合し、前記観賞用植木鉢の縦向き嵌合部を縦方向の鋼線に脱着自在に嵌合して観賞用植木鉢を取り付けた、植物飾付け装置
３）  フレームを土台で垂直に支持し、土台の下部にキャスターを設けた、前記２）記載の植物飾付け装置
４）  土台を側方に張り出させて観賞用植木鉢の置き場を形成した、前記３）記載の植物飾付け装置
５）  フレームに不透明のシート状物を鋼線間の開口が閉塞されるように張設した、前記２）〜４）いずれか記載の植物飾付け装置
６）  前記２）〜５）いずれか記載の植物飾付け装置が、室内の壁面の装飾に用いられるものである、植物飾付け装置
７）  前記２）〜５）いずれか記載の植物飾付け装置が、部屋を間仕切るパーティションとして用いられるものである、植物飾付け装置
にある。